(57)【特許請求の範囲】
【請求項１】
サービス制御情報管理サーバと遠隔管理サーバとを具備しており、移動端末が、挿入されているＩＣカードに記憶されている特定ユーザ用の移動通信制御情報に基づいて移動通信に係る処理を行い、該ＩＣカードに記憶されている該特定ユーザ用のサービス制御情報に基づいて所望サービスに係る処理を行うように構成されている移動通信システムであって、
前記サービス制御情報管理サーバは、
各ユーザ用のサービス制御情報を管理するように構成されているサービス制御情報管理部と、
特定ユーザ用のサービス制御情報が更新された場合に、その旨を前記遠隔管理サーバに通知するように構成されているサービス制御情報通知部とを具備し、
前記遠隔管理サーバは、移動通信ネットワークを介して、前記特定ユーザ用のサービス制御情報を更新するように要求する更新要求を送信するように構成されている更新要求送信部を具備し、
前記ＩＣカードは、
前記特定ユーザ用のサービス制御情報を記憶するように構成されているサービス制御情報記憶部と、
前記移動端末から受信した前記更新要求に応じて、前記サービス制御情報記憶部に記憶されている前記特定ユーザ用のサービス制御情報を更新するように構成されているサービス制御情報更新部とを具備し、
前記移動端末は、
該移動端末に挿入されている前記ＩＣカードに対して、前記遠隔管理サーバから受信した前記更新要求を送信するように構成されているインターフェイスと、
前記ＩＣカードから取得した前記特定ユーザ用のサービス制御情報に応じて、前記所望サービスに係る処理を行うことが可能であるか否かについて判定するように構成されているサービス処理部とを具備し、
前記サービス制御情報は、
移動通信以外で前記移動端末によって行うことができるサービスと、
特定される前記サービスごとに、前記移動端末が前記サービスに係る処理を行うことが可能であるか否かについて示すサービスフラグと、
特定される前記サービスごとに、前記サービスフラグに所定値が設定されている場合に、前記移動端末が前記サービスに係る処理を行うことが可能になる条件を示す条件Ａと、
特定される前記サービスごとに、前記サービスフラグに所定値が設定されている場合に、前記移動端末が前記サービスに係る処理を行うことが不可能になる条件を示す条件Ｂと
を関連付けるものであり、
前記サービス処理部は、前記サービスフラグに前記所定値が設定されている場合、前記条件Ａまたは前記条件Ｂに応じて、前記サービスフラグに対応するサービスにおいて、該サービスに係る処理を行うことができるサービス制御状態と、該サービスに係る処理を行うことができない非サービス制御状態とを切り替えるように構成されていることを特徴とする移動通信システム。
【請求項２】
移動端末が、挿入されているＩＣカードに記憶されている特定ユーザ用の移動通信制御情報に基づいて移動通信に係る処理を行い、該ＩＣカードに記憶されている該特定ユーザ用のサービス制御情報に基づいて所望サービスに係る処理を行う移動通信方法であって、
サービス制御情報管理サーバが、各ユーザ用のサービス制御情報を管理しており、特定ユーザ用のサービス制御情報が更新された場合に、その旨を遠隔管理サーバに通知する工程と、
前記遠隔管理サーバは、移動通信ネットワークを介して、前記特定ユーザ用のサービス制御情報を更新するように要求する更新要求を送信する工程と、
前記移動端末は、該移動端末に挿入されている前記ＩＣカードに対して、前記遠隔管理サーバから受信した前記更新要求を送信する工程と、
前記ＩＣカードが、前記移動端末から受信した前記更新要求に応じて、該ＩＣカードに記憶されている前記特定ユーザ用のサービス制御情報を更新する工程と、
前記移動端末は、前記ＩＣカードから取得した前記特定ユーザ用のサービス制御情報に応じて、前記所望サービスに係る処理を行うことが可能であるか否かについて判定する工程とを有し、
前記サービス制御情報は、
移動通信以外で前記移動端末によって行うことができるサービスと、
特定される前記サービスごとに、前記移動端末が前記サービスに係る処理を行うことが可能であるか否かについて示すサービスフラグと、
特定される前記サービスごとに、前記サービスフラグに所定値が設定されている場合に、前記移動端末が前記サービスに係る処理を行うことが可能になる条件を示す条件Ａと、
特定される前記サービスごとに、前記サービスフラグに所定値が設定されている場合に、前記移動端末が前記サービスに係る処理を行うことが不可能になる条件を示す条件Ｂと
を関連付けるものであり、
前記判定する工程では、前記サービスフラグに前記所定値が設定されている場合、前記条件Ａまたは前記条件Ｂに応じて、前記サービスフラグに対応するサービスにおいて、該サービスに係る処理を行うことができるサービス制御状態と、該サービスに係る処理を行うことができない非サービス制御状態とを切り替えるか否かが判定されることを特徴とする移動通信方法。
【請求項３】
挿入されているＩＣカードに記憶されている特定ユーザ用の移動通信制御情報に基づいて移動通信に係る処理を行い、該ＩＣカードに記憶されている該特定ユーザ用のサービス制御情報に基づいて所望サービスに係る処理を行うように構成されている移動端末であって、
前記ＩＣカードは、移動通信ネットワークを介して遠隔管理サーバから送信された更新要求に応じて、該ＩＣカードに記憶されている前記特定ユーザ用のサービス制御情報を更新するように構成されているサービス制御情報更新部を具備し、
前記移動端末は、前記特定ユーザ用のサービス制御情報に応じて、前記所望サービスに係る処理を行うことが可能であるか否かについて判定するように構成されているサービス処理部とを具備し、
前記サービス制御情報は、
移動通信以外で前記移動端末によって行うことができるサービスと、
特定される前記サービスごとに、前記移動端末が前記サービスに係る処理を行うことが可能であるか否かについて示すサービスフラグと、
特定される前記サービスごとに、前記サービスフラグに所定値が設定されている場合に、前記移動端末が前記サービスに係る処理を行うことが可能になる条件を示す条件Ａと、
特定される前記サービスごとに、前記サービスフラグに所定値が設定されている場合に、前記移動端末が前記サービスに係る処理を行うことが不可能になる条件を示す条件Ｂと
を関連付けるものであり、
前記サービス処理部は、前記サービスフラグに前記所定値が設定されている場合、前記条件Ａまたは前記条件Ｂに応じて、前記サービスフラグに対応するサービスにおいて、該サービスに係る処理を行うことができるサービス制御状態と、該サービスに係る処理を行うことができない非サービス制御状態とを切り替えるように構成されていることを特徴とする移動端末。
【発明の詳細な説明】
【技術分野】
【０００１】
本発明は、移動端末が、挿入されているＩＣカードに記憶されている特定ユーザ用の移動通信制御情報に基づいて移動通信に係る処理を行い、該ＩＣカード（又は、移動端末）に記憶されている該特定ユーザ用のサービス制御情報に基づいて所望サービスに係る処理を行う移動通信システム、移動通信方法及び移動端末に関する。
【背景技術】
【０００２】
従来、移動端末が、挿入されているＩＣカードに記憶されている「特定ユーザ用の移動通信制御情報（ＩＭＳＩ等）」に基づいて移動通信に係る処理を行い、当該ＩＣカード（又は、移動端末）に記憶されている「特定ユーザ用のサービス制御情報」に基づいて所望サービスに係る処理を行うように構成されている移動通信システムにおいて、ダウンロードコンテンツ再生サービスや、端末遠隔ロックサービスが提供されている。  かかるダウンロードコンテンツ再生サービスでは、移動端末は、当該移動端末内部に、サービス制御情報として、ダウンロードした所望コンテンツと、当該所望コンテンツのダウンロード時に挿入されていたＩＣカードとを関連付けて記憶するように構成されており、当該ＩＣカードが挿入されていない場合には、ユーザは、当該所望コンテンツを再生できない。
【０００３】
また、端末遠隔ロックサービスでは、移動端末は、特定の端末から一定期間内に一定回数以上着信された場合、当該移動端末内部に、サービス制御情報として、当該移動端末の全ての機能を使用不可とする旨の命令を記憶するように構成されており、かかる場合、ユーザは、当該移動端末の全ての機能を使用することができない。
【０００４】
また、デジタル放送機能を具備する移動端末は、ＩＣカードが挿入されているか否かに関わらず、デジタル放送サービスによって提供されるデジタル放送信号を受信して再生することができる。
【特許文献１】特開２００２-１２５２１１号公報
【特許文献２】特開２００４-７２４５４号公報
【発明の開示】
【発明が解決しようとする課題】
【０００５】
しかしながら、従来のダウンロードコンテンツ再生サービスでは、上述のサービス制御情報が、移動端末内部に記憶されているため、ユーザは、機種変更等により移動端末を変更した場合には、当該移動端末に同一のＩＣカードを挿入すると、上述の所望コンテンツを再生することができるようになり、かかるＩＣカードが移動端末に挿入されている以上、移動通信システム側から、一度ダウンロードされた所望コンテンツを再生できないようにすることができないという問題点があった。
【０００６】
また、従来の端末遠隔ロックサービスでは、移動端末の全ての機能を使用不可とする旨の命令（サービス制御情報）が、ＩＣカードの内部ではなく、当該移動端末の内部に設定されているため、当該ＩＣカードを、別の移動端末に挿入することによって、移動通信等のサービスに係る処理を行うことができてしまうという問題点があった。
【０００７】
さらに、従来のデジタル放送機能を具備する移動端末においては、ＩＣカードの有無に関わらず、デジタル放送サービスに係る処理を行うことができるため、ユーザが、「移動通信システムにより提供されている移動通信サービスの利用契約（以下、契約）」を解除した場合であっても、当該移動通信システム側から、当該ユーザに対して、デジタル放送サービスに係る処理を使用できなくすることができないという問題点があった。
【０００８】
そこで、本発明は、以上の点に鑑みてなされたもので、ＩＣカード内部にサービス制御情報を記憶することによって、上述のような問題点を解決することができる移動通信システム、移動通信方法及び移動端末を提供することを目的とする。
【課題を解決するための手段】
【０００９】
本発明の第１の特徴は、サービス制御情報管理サーバと遠隔管理サーバとを具備しており、移動端末が、挿入されているＩＣカードに記憶されている特定ユーザ用の移動通信制御情報に基づいて移動通信に係る処理を行い、該ＩＣカードに記憶されている該特定ユーザ用のサービス制御情報に基づいて所望サービスに係る処理を行うように構成されている移動通信システムであって、前記サービス制御情報管理サーバは、各ユーザ用のサービス制御情報を管理するように構成されているサービス制御情報管理部と、特定ユーザ用のサービス制御情報が更新された場合に、その旨を前記遠隔管理サーバに通知するように構成されているサービス制御情報通知部とを具備し、前記遠隔管理サーバは、移動通信ネットワークを介して、前記特定ユーザ用のサービス制御情報を更新するように要求する更新要求を送信するように構成されている更新要求送信部を具備し、前記ＩＣカードは、前記特定ユーザ用のサービス制御情報を記憶するように構成されているサービス制御情報記憶部と、前記移動端末から受信した前記更新要求に応じて、前記サービス制御情報記憶部に記憶されている前記特定ユーザ用のサービス制御情報を更新するように構成されているサービス制御情報更新部とを具備し、前記移動端末は、該移動端末に挿入されている前記ＩＣカードに対して、前記遠隔管理サーバから受信した前記更新要求を送信するように構成されているインターフェイスと、前記ＩＣカードから取得した前記特定ユーザ用のサービス制御情報に応じて、前記所望サービスに係る処理を行うことが可能であるか否かについて判定するように構成されているサービス処理部とを具備することを要旨とする。
【００１０】
本発明の第２の特徴は、移動端末が、挿入されているＩＣカードに記憶されている特定ユーザ用の移動通信制御情報に基づいて移動通信に係る処理を行い、該ＩＣカードに記憶されている該特定ユーザ用のサービス制御情報に基づいて所望サービスに係る処理を行う移動通信方法であって、サービス制御情報管理サーバが、各ユーザ用のサービス制御情報を管理しており、特定ユーザ用のサービス制御情報が更新された場合に、その旨を遠隔管理サーバに通知する工程と、前記遠隔管理サーバは、移動通信ネットワークを介して、前記特定ユーザ用のサービス制御情報を更新するように要求する更新要求を送信する工程と、前記移動端末は、該移動端末に挿入されている前記ＩＣカードに対して、前記遠隔管理サーバから受信した前記更新要求を送信する工程と、前記ＩＣカードが、前記移動端末から受信した前記更新要求に応じて、該ＩＣカードに記憶されている前記特定ユーザ用のサービス制御情報を更新する工程と、前記移動端末は、前記ＩＣカードから取得した前記特定ユーザ用のサービス制御情報に応じて、前記所望サービスに係る処理を行うことが可能であるか否かについて判定する工程とを有することを要旨とする。
【００１１】
本発明の第３の特徴は、挿入されているＩＣカードに記憶されている特定ユーザ用の移動通信制御情報に基づいて移動通信に係る処理を行い、該ＩＣカードに記憶されている該特定ユーザ用のサービス制御情報に基づいて所望サービスに係る処理を行うように構成されている移動端末であって、前記ＩＣカードは、移動通信ネットワークを介して遠隔管理サーバから送信された更新要求に応じて、該ＩＣカードに記憶されている前記特定ユーザ用のサービス制御情報を更新するように構成されているサービス制御情報更新部を具備し、前記移動端末は、前記特定ユーザ用のサービス制御情報に応じて、前記所望サービスに係る処理を行うことが可能であるか否かについて判定するように構成されているサービス処理部とを具備することを要旨とする。  かかる発明によれば、サービス制御情報が、移動端末内部ではなく、ＩＣカード（ＵＩＭ）内に記憶されているため、ユーザは、機種変更等により移動端末を変更した場合には、当該ＩＣカードを変更後の移動端末に挿入しても、当該変更後の移動端末では、変更前の移動端末によってダウンロードされた所望コンテンツを再生することを禁止することができ、また、当該変更後の移動端末の全ての機能を使用不可とすることができる。  また、かかる発明によれば、ＩＣカード内に記憶されているサービス制御情報が、遠隔管理サーバから送信された更新要求に応じて更新されるため、移動通信システム側の運用者は、ユーザの契約内容に応じて、適宜、当該ＩＣカードが挿入された移動端末において利用可能なサービスを変更することができる。
【００１２】
本発明の第３の特徴において、前記サービス制御情報は、各サービスに対応するサービスフラグを有し、前記サービス処理部は、前記サービスフラグに設定されている値に基づいて、該サービスフラグに対応するサービスに係る処理を行うことが可能であるか否かについて判定するように構成されていてもよい。
【００１３】
本発明の第３の特徴において、前記サービス制御情報は、前記サービスごとに、前記サービスフラグに所定値が設定されている場合に、前記移動端末が該サービスに係る処理を行うことが可能になる条件、及び、該移動端末が該サービスに係る処理を行うことが不可能になる条件が設定されており、前記サービス処理部は、前記サービスフラグに所定値が設定されている場合、前記条件に応じて、該サービスフラグに対応するサービスにおいて、該サービスに係る処理を行うことができるサービス制御状態と、該サービスに係る処理を行うことができない非サービス制御状態とを切り替えるように構成されていてもよい。
【００１４】
かかる発明によれば、ＩＣカード内に記憶されているサービス制御情報において、サービスごとに、サービス制御状態と非サービス制御状態とを切り替えるための条件が設定されているため、移動端末が圏外となっている状態や移動通信についての契約が終了した状態（ＩＣカード内に移動通信制御情報が記憶されていない状態）等の移動端末が移動通信ネットワークに接続できない状態であっても、当該移動端末が、所望サービスに係る処理を行うことが可能であるか否かについて制御することができる。
【発明の効果】
【００１５】
以上説明したように、本発明によれば、ＵＩＭ内部にサービス制御情報を記憶することによって、移動端末内部にサービス制御情報を記憶することに起因する問題点を解決することができる移動通信システム、移動通信方法及び移動端末を提供することができる。
【発明を実施するための最良の形態】
【００１６】
（本発明の第１の実施形態に係る移動通信システム）
図１乃至図４を参照して、本発明の第１の実施形態に係る移動通信システムの構成について説明する。
【００１７】
図１に示すように、本実施形態に係る移動通信システムは、ＯＴＡ（Ｏｖｅｒ  Ｔｈｅ  Ａｉｒ）サーバ３０と、サービス制御情報管理サーバ４０とを具備している。
【００１８】
ＯＴＡサーバ３０は、ＰＬＭＮ（Ｐｕｂｌｉｃ  Ｌａｎｄ  Ｍｏｂｉｌｅ  Ｎｅｔｗｏｒｋ：公衆陸上移動通信ネットワーク）１を介して、移動端末１０に挿入されている特定ユーザ用のＩＣカード（以下、ＵＩＭ：Ｕｓｅｒ  Ｉｄｅｎｔｉｔｙ  Ｍｏｄｕｌｅ）２０内に記憶されている特定ユーザ用のサービス制御情報を更新するように要求する更新要求（コマンド）を送信するように構成されている更新要求送信部３１を具備する遠隔管理サーバである。
【００１９】
サービス制御情報管理サーバ４０は、各ユーザ用のサービス制御情報を管理するように構成されているサービス制御情報管理部４１と、特定ユーザ用のサービス制御情報が更新された場合に、その旨を遠隔管理サーバ３０に通知するように構成されているサービス制御情報通知部４２とを具備する。
【００２０】
具体的には、サービス制御情報管理サーバ４０は、各ユーザについて、サービス制御情報（図３参照）や移動通信制御情報を管理するように構成されている。なお、サービス制御情報及び移動通信制御情報の具体例については、後述する。
【００２１】
また、サービス制御情報管理サーバ４０は、ユーザからの契約内容変更の申込等に応じて、当該ユーザについてのサービス制御情報が更新された場合、その旨を遠隔管理サーバ３０に通知するように構成されている。
【００２２】
なお、サービス制御情報管理サーバ４０は、ユーザからの契約内容変更の申込等に応じて、当該ユーザについての移動通信制御情報が更新された場合、その旨を遠隔管理サーバ３０に通知するように構成されていてもよい。
【００２３】
図２に示すように、ＵＩＭ２０は、記憶部２１と、サービス制御情報更新部２３とを具備している。
【００２４】
記憶部２１は、移動端末１０によって所望サービスに係る処理を行う際に用いられるサービス制御情報を記憶するように構成されている。
【００２５】
また、記憶部２１は、移動端末１０によって移動通信に係る処理を行う際に用いられる移動通信制御情報を記憶するように構成されている。
【００２６】
例えば、サービス制御情報は、図３に示すように、「サービス」と「サービスフラグ」と「条件Ａ」と「条件Ｂ」とを関連付けるように構成されている。
【００２７】
「サービス」は、移動通信以外で、移動端末１０によって行うことができるサービスを示すものである。
【００２８】
「サービス」の一例として、地上波デジタル放送サービスやダウンロードコンテンツ再生サービスや端末遠隔ロックサービスや電話帳閲覧サービス等が想定される。
【００２９】
「サービスフラグ」は、上述の「サービス」により特定されるサービスごとに、移動端末１０が当該サービスに係る処理を行うことが可能であるか否かについて示すものである。
【００３０】
「サービスフラグ」に「ＯＮ」が設定されている場合、移動端末１０が当該サービスに係る処理を行うことが可能であることを示し、「サービスフラグ」に「ＯＦＦ」が設定されている場合、移動端末１０が当該サービスに係る処理を行うことが不可能であることを示す。
【００３１】
「条件Ａ」は、上述の「サービス」により特定されるサービスごとに、「サービスフラグ」に「ＯＮ（所定値）」が設定されている場合に、移動端末１０が当該サービスに係る処理を行うことが可能になる条件を示すものである。
【００３２】
例えば、電話帳閲覧サービスについての条件Ａは、移動端末１０の電源が投入される（電源ＯＮとなる）ことである。また、地上波デジタル放送サービスやダウンロードコンテンツ再生サービスについての条件Ａは、移動端末１０の位置登録処理が完了することである。また、端末遠隔ロックサービスについての条件Ａは、移動端末１０に対して端末Ａから一定期間内に一定回数以上の着信があることである。
【００３３】
「条件Ｂ」は、上述の「サービス」により特定されるサービスごとに、「サービスフラグ」に「ＯＮ（所定値）」が設定されている場合に、移動端末１０が当該サービスに係る処理を行うことが不可能になる条件を示すものである。
【００３４】
例えば、電話帳閲覧サービスについての条件Ｂは、移動端末１０の電源をＯＦＦとすることである。また、地上波デジタル放送サービスやダウンロードコンテンツ再生サービスについての条件Ｂは、移動端末１０が圏外となってＸ時間経過することである。また、端末遠隔ロックサービスについての条件Ｂは、移動端末１０に対して端末Ｂからの着信があることである。
【００３５】
また、サービス制御情報更新部２３は、移動通信ネットワーク１を介してＯＴＡサーバ３０から送信された更新要求に応じて、ＵＩＭ２０の記憶部２１に記憶されている特定ユーザ用のサービス制御情報を更新し、かかる更新が完了したことを通知するための更新完了通知を移動端末１０に送信するように構成されている。
【００３６】
また、ＵＩＭ２０は、特定ユーザについての移動通信制御情報やサービス制御情報の他に、クレジットカード情報等の決済情報や、電話帳データやＳＭＳメールデータ等の個人情報を記憶するように構成されていてもよい。
【００３７】
また、ＵＩＭ２０は、同様に、移動端末１０から送信された更新要求に応じて、上述の移動通信制御情報を更新するように構成されていてもよい。
【００３８】
また、ＵＩＭ２０は、移動端末１０からの指示に応じて、上述のサービス制御情報や移動通信制御情報や決済情報や個人情報等を、移動端末１０に提供するように構成されている。
【００３９】
なお、本明細書では、ＵＩＭ２０が用いられる場合の例について説明するが、本発明には、かかる場合に限定されるものではなく、他のＩＣカードが用いられる場合にも適用可能である。
【００４０】
移動端末１０は、挿入されているＵＩＭ２０に記憶されている特定ユーザ用の移動通信制御情報に基づいて移動通信に係る処理を行い、当該ＵＩＭ２０に記憶されている当該特定ユーザ用のサービス制御情報に基づいて所望サービスに係る処理を行うように構成されている。
【００４１】
移動端末１０は、図２に示すように、ＵＩＭ制御部１２と、サービス処理部１５と、移動通信処理部１６とを具備している。
【００４２】
移動通信制御部１６は、ＰＬＭＮ１を介してＯＴＡサーバ３０から送信された更新要求を受信するように構成されている。移動通信制御部１６は、受信した更新要求を、ＵＩＭ制御部１２を経由してＵＩＭ２０に送信するように構成されている。
【００４３】
また、移動通信制御部１６は、ＵＩＭ２０の記憶部２１から移動通信制御情報を受信し、ＰＬＭＮ１を経由してＯＴＡサーバ３０と通信する。
【００４４】
そして、ＵＩＭ２０において、上述の特定ユーザ用のサービス制御情報についての更新が完了した場合に、移動通信制御部１６は、その旨を通知するための更新完了通知を、ＰＬＭＮ１を介してＯＴＡサーバ３０に送信するように構成されている。
【００４５】
サービス処理部１５は、ＵＩＭ制御部１２を経由して、ＵＩＭ２０内のサービス制御情報を取得し、そのサービス制御情報に応じて、所望サービスに係る処理を行うことが可能であるか否かについて判定するように構成されている。
【００４６】
ここで、サービスに係る処理の一例について説明する。
【００４７】
例えば、地上波デジタル放送サービスに係る処理は、地上波デジタル放送信号を受信して再生する処理であり、ダウンロードコンテンツ再生サービスに係る処理は、ダウンロードされた所望コンテンツ（かかる所望コンテンツは、ＵＩＭ２０内に記憶されているか、或いは、再度ダウンロードするか、若しくは、移動端末１０のメモリに記憶されているかのいずれかである）を再生する処理であり、端末遠隔ロックサービスに係る処理は、当該移動端末１０の全ての機能を使用不可とする処理であり、電話帳閲覧サービスに係る処理は、ＵＩＭ２０（又は、移動端末１０）内に記憶されている電話帳データを閲覧する処理である。
【００４８】
具体的には、サービス処理部１５は、サービス制御情報における「サービスフラグ」に設定されている値（ＯＮ/ＯＦＦ）に基づいて、当該サービスフラグに対応するサービスに係る処理を行うことが可能であるか否かについて判定するように構成されている。
【００４９】
すなわち、サービス処理部１５は、サービス制御情報において「サービスフラグ」に「ＯＮ」が設定されているサービスに係る処理を行うことが可能であると判定し、サービス制御情報において「サービスフラグ」に「ＯＦＦ」が設定されているサービスに係る処理を行うことが不可能であると判定する。
【００５０】
また、サービス処理部１５は、図４に示すように、「サービスフラグ」に「ＯＮ（所定値）」が設定されている場合、条件Ａ及びＢに応じて、当該「サービスフラグ」に対応する「サービス」において、当該サービスに係る処理を行うことができるサービス制御状態Ｓ１と、当該サービスに係る処理を行うことができない非サービス制御状態（初期状態）Ｓ０とを切り替えることができる。
【００５１】
そのため、サービス処理部１５は、挿入されているＵＩＭ２０内に移動通信制御情報が記憶されていない場合であっても、すなわち、移動通信についての契約が終了しており、移動通信処理部１６によって移動通信に係る処理を行うことができない状態であっても、サービス制御状態Ｓ１となっている所望サービスに係る処理を行うことができる。
【００５２】
例えば、図２の例では、サービス処理部１５は、「サービスフラグ」に「ＯＮ」が設定されている場合、移動端末１０がＰＬＭＮ１に接続可能であるか否かに関わらず、移動端末１０の電源がＯＮになった場合、電話帳閲覧サービスに関して「サービス制御状態」に遷移し、移動端末１０の電源がＯＦＦになった場合、電話帳閲覧サービスに関して「非サービス制御状態」に遷移する。
【００５３】
すなわち、サービス処理部１５は、「サービスフラグ」に「ＯＮ」が設定されている場合には、移動端末１０に挿入されているＵＩＭ２０内に移動通信制御情報が記憶されていない状態（上述の契約が解約されている状態）や移動端末１０が圏外である状態等の移動端末１０による移動通信が不可能な状態であっても、移動端末１０の電源がＯＮになった場合には、ユーザは、電話帳閲覧サービスを利用することができる。
【００５４】
また、サービス処理部１５は、「サービスフラグ」に「ＯＮ」が設定されている場合には、移動端末１０の位置登録が完了した場合、地上波デジタル放送サービスやダウンロードコンテンツ再生サービスに関して「サービス制御状態」に遷移し、移動端末１０が圏外になってＸ時間経過した場合、地上波デジタル放送サービスやダウンロードコンテンツ再生サービスに関して「非サービス制御状態」に遷移する。
【００５５】
なお、ユーザが、上述の契約を解約した際に、当該ユーザ用のサービス制御情報が記憶されているＵＩＭ２０が挿入されている移動端末１０が、圏外であったり、電源ＯＦＦ状態であったりした場合には、ＯＴＡサーバ３０が、当該ユーザ用のサービス制御情報において、地上波デジタル放送サービスやダウンロードコンテンツ再生サービスについての「サービスフラグ」を「ＯＦＦ」とすることができない。
【００５６】
かかる場合であっても、上述のように、サービス処理部１５は、地上波デジタル放送サービスやダウンロードコンテンツ再生サービスに関しての条件Ａ及び条件Ｂに基づく状態遷移制御を行うことよって、当該ユーザ用のサービス制御情報が記憶されているＵＩＭ２０が挿入されている移動端末１０による移動通信が不可能な状態になった後、当該ユーザが、地上波デジタル放送サービスやダウンロードコンテンツ再生サービスを利用することができないように制御することができる。
【００５７】
また、サービス処理部１５は、「サービスフラグ」に「ＯＮ」が設定されている場合には、移動端末１０に対して端末Ａから一定期間内に一定回数以上の着信があった場合、端末遠隔ロックサービスに関して「サービス制御状態」に遷移し、移動端末１０の電源がＯＦＦになった場合、端末遠隔ロックサービスに関して「非サービス制御状態」に遷移する。
【００５８】
すなわち、サービス処理部１５は、「サービスフラグ」に「ＯＮ」が設定されている場合には、移動端末１０に対して端末Ａから一定期間内に一定回数以上の着信があった場合には、ユーザは、端末遠隔ロックサービスを利用することができ、移動端末１０の電源がＯＦＦになった場合には、ユーザは、端末遠隔ロックサービスを利用することができなくなる。
【００５９】
なお、サービス処理部１５は、「サービスフラグ」に「ＯＦＦ」が設定されている場合には、移動端末１０による移動通信が可能な状態であっても、ユーザは、地上波デジタル放送サービスやダウンロードコンテンツ再生サービスや端末遠隔ロックサービスや電話帳閲覧サービス（各種サービス）を利用することができない。
【００６０】
そのため、ユーザが、上述の契約を解約した場合には、ＯＴＡサーバ３０が、当該ユーザ用のサービス制御情報において、各種サービスに係る「サービスフラグ」を「ＯＦＦ」とすることで、その後、当該ユーザが、各種サービスを利用することができないように制御することができる。
【００６１】
移動通信制御部１６は、ＵＩＭ制御部１２により取得された特定ユーザ用の移動通信制御情報に応じて、移動通信に係る処理を行うように構成されている。
【００６２】
移動通信に係る処理の一例としては、ＩＭＳＩ等を用いて当該移動端末１０による移動通信を行うことが可能かについての認証処理を含む発信処理や、当該移動端末１０についての位置登録処理や、発信端末からの着信処理等が想定される。
【００６３】
（本発明の第１の実施形態に係る移動通信システムの動作）
以下、図５及び図６を参照して、本実施形態に係る移動通信システムの動作について説明する。
【００６４】
第１に、図５を参照して、本実施形態に係る移動通信システムにおいて、ＵＩＭ２０内のサービス制御情報を書き換える動作について説明する。
【００６５】
ステップＳ１０１において、サービス制御情報管理サーバ４０は、特定ユーザからの契約内容変更の申込等に応じて、当該特定ユーザについてのサービス制御情報（及び、移動通信制御情報）の内容を変更して、その旨をＯＴＡサーバ３０に通知するための更新通知を送信する。
【００６６】
ステップＳ１０２において、ＯＴＡサーバ３０は、ＰＬＭＮ１を介して、ＳＭＳ等を用いて、かかる特定ユーザ用のサービス制御情報を更新するように要求する更新要求を移動端末１０に送信する。
【００６７】
ステップＳ１０３において、移動端末１０は、挿入されているＵＭＩ２０に対して、受信した更新要求を送信する。
【００６８】
ＵＩＭ２０は、ステップＳ１０４において、受信した更新要求に応じて、当該特定ユーザ用のサービス制御情報（及び、移動通信制御情報）を更新して、ステップＳ１０５において、その旨を通知するための更新完了通知を移動端末１０に送信する。
【００６９】
ステップＳ１０６において、移動端末１０は、受信した更新完了通知を、ＳＭＳ等を用いてＯＴＡサーバ３０に送信する。
【００７０】
最後に、ＵＩＭ２０は、Ｒｅｆｒｅｓｈコマンドを移動端末１０に送信することによって、移動端末１０において保存されているサービス制御情報を更新することができる。
【００７１】
若しくは、移動端末１０は、電源ＯＮ/ＯＦＦによる初期立ち上げ時に、ＵＩＭ２０からサービス制御情報を読み込むことにより、移動端末１０において保存されているサービス制御情報を更新することができる。
【００７２】
第２に、図６を参照して、本実施形態に係る移動通信システムの移動端末１０において、所望サービスに係る処理を行う動作について説明する。
【００７３】
図６に示すように、ステップＳ２０１において、移動端末１０は、ユーザから指示された所望サービスについてのサービス制御情報をＵＩＭ２０から取得する。なお、移動端末１０は、ユーザから指示される度に、ＵＩＭ２０からサービス制御情報を取得せずに、ＵＩＭ２０からサービス制御情報を定期的に取得して保存していてもよい。
【００７４】
ステップＳ２０２において、移動端末１０は、取得した（又は、保存している）サービス制御情報（サービスフラグ）を参照して、所望サービスについてサービス制御状態であるかについて判定する。
【００７５】
判定結果が肯定的である場合、本動作は、ステップＳ２０３に進み、判定結果が否定的である場合、本動作は、ステップＳ２０１に戻る。
【００７６】
ステップＳ２０３において、移動端末１０は、条件Ａが満たされているか否かについて判定する。
【００７７】
判定結果が肯定的である場合、本動作は、ステップＳ２０５に進み、判定結果が否定的である場合、本動作は、ステップＳ２０３を繰り返す。
【００７８】
ステップＳ２０５において、移動端末１０は、所望サービスに係る処理を開始し、条件Ｂ（ステップＳ２０６）が満たされるまで（或いは、所望サービスに係る処理が完了するまで）、所望サービスに係る処理を継続する。
【００７９】
ステップＳ２０７において、移動端末１０は、所望サービスに係る処理の継続中に、条件Ｂが満たされたため、所望サービスについて初期状態（非サービス制御状態）に遷移し、本動作は、ステップＳ２０１に戻る。
【００８０】
（本発明の第１の実施形態に係る移動通信システムの作用・効果）
本実施形態に係る移動通信システムによれば、サービス制御情報が、移動端末１０内部ではなく、ＵＩＭ２０内に記憶されているため、ユーザは、機種変更等により移動端末１０を変更した場合であっても、当該ＵＩＭ２０を新しい移動端末１０に挿入することによって、当該移動端末１０において、所望サービスに係る処理（例えば、デジタル放送信号を受信して再生したり、ダウンロードした所望コンテンツを再生することや、移動端末の全ての機能を使用不可とすること等）を行うか否かを設定することができる。
【００８１】
また、本実施形態に係る移動通信システムによれば、ＵＩＭ２０内に記憶されているサービス制御情報が、ＯＴＡサーバ３０から送信された更新要求に応じて更新されるため、移動通信システム側の運用者は、ユーザの契約内容に応じて、適宜、当該ＵＩＭ２０が挿入された移動端末１０において利用可能なサービスを変更することができる。
【００８２】
また、本実施形態に係る移動通信システムによれば、ＵＩＭ２０内に記憶されているサービス制御情報において、サービスごとに、サービス制御状態Ｓ１と非サービス制御状態（初期状態）Ｓ０とを切り替えるための条件が設定されているため、移動端末１０が圏外となっている状態や移動通信についての契約が終了した状態等の移動端末１０がＰＬＭＮ１に接続できない状態であっても、当該移動端末１０が、所望サービスに係る処理を行うことが可能であるか否かについて制御することができる。
【００８３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００８４】
【図１】本発明の第１の実施形態に係る移動通信システムの全体構成図である。
【図２】本発明の第１の実施形態に係る移動通信システムにおける移動端末の機能ブロック図である。
【図３】本発明の第１の実施形態に係る移動通信システムにおけるサービス制御情報の一例を示す図である。
【図４】本発明の第１の実施形態に係る移動通信システムにおける移動端末のサービス処理部の状態遷移図である。
【図５】本発明の第１の実施形態に係る移動通信システムにおいて、ＵＩＭ内のサービス制御情報を書き換える動作を示すシーケンス図である。
【図６】本発明の第１の実施形態に係る移動通信システムの移動端末の動作を示すフローチャートである。
【符号の説明】
【００８５】
１…ＰＬＭＮ
１０…移動端末
１２…ＵＩＭ制御部
１５…サービス処理部
１６…移動通信制御部
２０…ＵＩＭ
２１…記憶部
２３…サービス制御情報更新部
３０…ＯＴＡサーバ
３１…更新要求送信部
４０…サービス制御情報管理サーバ
４１…サービス制御情報管理部
４２…サービス制御情報通知部
【図１】
0004680836.tif 000002
【図２】
0004680836.tif 000003
【図３】
0004680836.tif 000004
【図４】
0004680836.tif 000005
【図５】
0004680836.tif 000006
【図６】
0004680836.tif 000007